(57)【要約】  本発明は、２つの衣料品を互いに装着するのに有用なクランプアセンブリー、クランプアセンブリーを含む衣服、及び２つの衣料品を装着する方法に関し；クランプアセンブリーは、円形のバンドと、中空体を有する管状の弾性カバーとを備え、クランプは中空体内に位置決めされ、その全側面が弾性カバーにより被包される。
2014517162.tif 000002
【特許請求の範囲】
【請求項１】
ｉ）円形のバンドを備えるクランプと、
ｉｉ）中空体を有する管状の弾性カバーと、
を含むクランプアセンブリーであって、
前記クランプが前記中空体内に位置決めされ、その全側面が前記弾性カバーにより被包される、クランプアセンブリー。
【請求項２】
前記カバーが前記クランプを操作するための開口部を有する、請求項１に記載のクランプアセンブリー。
【請求項３】
前記クランプが、前記バンドに装備されたスクリューハウジングと、前記バンドに係合しそれを位置決めするために前記スクリューハウジング内に配置されたウォームスクリューとを備える、請求項２に記載のランプアセンブリー。
【請求項４】
前記開口部が前記管状の弾性カバーのスリットである、請求項２に記載のクランプアセンブリー。
【請求項５】
前記管状の弾性カバーが、第１の端部と第２の端部とを有する管であり、前記カバーの開口部が前記管の第１の端部を前記第２の端部に挿入することにより形成される、請求項２に記載のクランプアセンブリー。
【請求項６】
管状の弾性カバーがＤ形の断面を有する、請求項１に記載のクランプアセンブリー。
【請求項７】
前記弾性カバーが合成ゴムまたは天然ゴムを含む、請求項１に記載のクランプアセンブリー。
【請求項８】
クランプアセンブリーで袖に装着される手袋を含む衣服であって、前記クランプアセンブリーが
ｉ）円形のバンドを備えるクランプと、
ｉｉ）中空体を有する管状の弾性カバーと、
を含み、
前記クランプが前記中空体内に位置決めされ、その全側面が前記弾性カバーにより被包される衣服。
【請求項９】
前記カバーが前記クランプを操作するための開口部を有する、請求項８に記載の衣服。
【請求項１０】
前記クランプが、バンドに装備されたスクリューハウジングと、前記バンドに係合しそれを位置決めするために前記スクリューハウジング内に配置されたウォームスクリューとを備える、請求項９に記載の衣服。
【請求項１１】
前記開口部が前記管状の弾性カバーのスリットである、請求項９に記載の衣服。
【請求項１２】
前記管状の弾性カバーが、第１の端部と第２の端部とを有する管であり、前記カバーの開口部が前記管の第１の端部を前記第２の端部に挿入することにより形成される、請求項９に記載の衣服。
【請求項１３】
管状の弾性カバーがＤ形の断面を有する、請求項８に記載の衣服。
【請求項１４】
第１の衣料品を第２の衣料品に装着する方法であって、各衣料品が少なくとも１つの生地層を含み、
ａ）支持体を提供する工程と、
ｂ）前記支持体の外面に前記第１の衣料品の１つの生地層と前記第２の衣料品の１つの生地層とを配置する工程と、
ｃ）クランプアセンブリーを使用して、前記支持体と前記クランプアセンブリーとの間に前記第１の生地層と前記第２の生地層とを一緒に挟持する工程と、
を含む方法であり、
前記クランプアセンブリーが、円形のバンドを備えるクランプと、中空体を有する管状の弾性カバーとを含み、前記クランプが前記中空体内に位置決めされ、その全側面が前記弾性カバーにより被包される方法。
【請求項１５】
前記弾性カバーが前記クランプを操作するための開口部を有し、前記クランプが前記バンドに装備されたスクリューハウジングと、前記バンドに係合しそれを位置決めするために前記スクリューハウジング内に配置されたウォームスクリューとを備える、請求項１４に記載の方法。
【発明の詳細な説明】
【技術分野】
【０００１】
発明の分野。本発明は、１つの衣料品を別の衣料品に装着するのに有用な装置に関する。それは防護手袋を防護服の袖に装着するのにとりわけ有用である。
【背景技術】
【０００２】
関連技術の説明。防護手袋を防護服の袖に装着する１つの方法は、様々なゴムバンド、ホースクリップ、及びダクトテープの使用を含む。Ｄｅｃａｔｕｒ，ＡＬのＬａｋｅｌａｎｄ  Ｉｎｄｕｓｔｒｉｅｓ，Ｉｎｃ．によって作成された「ＮＦＰＡ  １９９４  Ｃｌａｓｓ  ２  Ｕｓｅｒ’ｓ  Ｇｕｉｄｅ  ｆｏｒ  ＤｕＰｏｎｔ  Ｔｙｃｈｅｍ（登録商標）Ｌｅｖｅｌ  Ａ  Ｃｈｅｍｉｃａｌ  Ｓｕｉｔｓ」の６頁には、手袋と袖との間にこのような封止を提供するのに必要な、まさにそれに関連する工程が開示されている。衣料品の着脱をより容易にし、ゴムバンドやダクトテープを不要にする装置が望ましい。
【発明の概要】
【課題を解決するための手段】
【０００３】
本発明は、円形のバンドを備えるクランプと、中空体を有する管状の弾性カバーとを含むクランプアセンブリーに関し、クランプは中空体内に位置決めされ、その全側面が弾性カバーにより被包される。
【０００４】
本発明はまた、クランプアセンブリーにより袖に装着される手袋を含む衣服にも関し、クランプアセンブリーは、円形のバンドを備えるクランプと、中空体を有する管状の弾性カバーとを含み、クランプは中空体内に位置決めされ、その全側面が弾性カバーにより被包される。
【０００５】
本発明は更に、第１の衣料品を第２の衣料品に装着する方法であって、各衣料品が少なくとも１つの生地層を含み、
ａ）支持体を提供する工程と、
ｂ）支持体の外面に第１の衣料品の１つの生地層と第２の衣料品の１つの生地層とを配置する工程と、
ｃ）クランプアセンブリーを使用して、支持体とクランプアセンブリーとの間に第１の生地層と第２の生地層とを一緒に挟持する工程と、
を含む方法に関し、
クランプアセンブリーは、円形のバンドを備えるクランプと、中空体を有する管状の弾性カバーとを含み、クランプは中空体内に位置決めされ、その全側面が弾性カバーにより被包される。
【図面の簡単な説明】
【０００６】
【図１】手袋を袖に装着する従来技術の方法を示す図である。
【図２】本明細書に記載のクランプアセンブリーの一態様を使用して手袋を袖に装着する方法を示す図である。
【図３】Ｄ形の管状カバーを使用するクランプアセンブリーの一態様の斜視図である。
【図４Ａ−４Ｃ】中空体を有する可能な管状カバーの断面図である。
【図５】カバーに開口部を設ける管状カバーの代替の配置を示す図である。
【図６】図５に示すカバーの配置を使用するクランプアセンブリーの一態様の斜視図である。
【図７】少なくとも２つの衣料品を封止する、支持体に取り付けられたクランプアセンブリーの１種の断面図である。
【発明を実施するための形態】
【０００７】
本発明は、円形のバンドを備えるクランプと、中空体を有する管状の弾性カバーとを含むクランプアセンブリーに関し、クランプは中空体内に位置決めされ、その全側面が弾性カバーにより被包される。幾つかの実施形態では、本発明は、２つの衣料品を互いに封止するための取り外し可能なクランプアセンブリーに関し、クランプアセンブリーはバンドを備えるクランプと、バンドに装備されたスクリューハウジングと、バンドに係合しそれを位置決めするためにスクリューハウジング内に配置されたウォームスクリューとを含み、クランプは管状の弾性カバーに被包され、弾性カバーはウォームスクリューを操作するための開口部を有する。それは、防護手袋を防護服の袖に封止するのにとりわけ有用である。クランプアセンブリーは、ダクトテープまたはゴムバンドを使用することなく、手袋と袖との間に取り外し可能な漏れ止めシールを提供することができる。クランプアセンブリーは、考えられるところでは、履物を防護服の脚部に封止すること、またはアクセスパネルなどの他の衣料品を他の設備用の防護服に封止することなどの他の用途を有する。
【０００８】
図１は、手袋を袖に装着する従来技術の方法を示す図である。支持リング１１を、図示するようにゴム手袋１２に挿入し、手袋の指部を防護服の袖１３の裏返された端部に更に挿入する。呼び径約３〜６インチ（７．６〜１５．２ｃｍ）の硬質ＰＶＣ管を長さ約１〜３インチ（２．５〜７．６ｃｍ）の細いリングに切断することにより支持リングを作製することができるが、任意の比較的硬質のリングを使用することもできる。次いで、ゴムバンド１５とホースクリップ１６とを備える装着装置の組み合わせ１４を使用して、手袋を袖に装着する。１７に示すように、１本または２本のゴムバンド１５をまず袖１３の端部上に位置決めし、その袖端部をゴム手袋１２上の支持リング１１の位置に圧着する。これらの第１の１本または２本のゴムバンドは、ゴムバンド上に取り付けられるホースクリップの表面から防護服布帛を保護する。次いで、ホースクリップを緊締して、ホースクリップと支持リングとの間で袖と手袋の層を更に圧着することにより袖端部をゴム手袋に装着する。ホースクリップを、通常は工具（図示せず）を用いて緊締した後、１８に示すようにホースクリップ上に１本以上の追加のゴムバンド１５を取り付ける。第２組のゴムバンド１５を取り付けた後、衣服の使用中にゴムバンドがホースクリップから外れて移動することを防止するために、１９に示すように数層のダクトテープ２０をゴムバンドとホースクリップの周囲に巻き付ける。最後に、袖１３を再度裏返して、手袋１２を露出させる。手袋を袖から離脱するためには、または更には袖に付けた手袋を調節するためには、これらの工程を逆の手順で行わなければならない、即ち、袖を裏返した後、まずダクトテープ、次いでゴムバンドを取り外し、その後、工具を用いてホースクリップを緩めなければならない。
【０００９】
図２は、２つの衣料品を互いに装着するためのクランプアセンブリーの使用を示す１つの図である；この図でも、手袋を袖に装着する。この図では、支持リング２１を、図示するようにゴム手袋２２に挿入し、手袋の指部を防護服の袖２３の裏返された端部に更に挿入する。次いで、袖２３の端部をゴム手袋２２上に支持リング２１に隣接するように位置決めする。次いで、２５に示すように、管状の袖カバーにより全側面が被包され、管状の袖カバーの中空体内に位置決めされたクランプを含むクランプアセンブリー２６を、袖２３の端部上に、支持リング２１と一直線に並ぶように位置決めする。次いで、通常は工具を用いてクランプを緊締し、クランプアセンブリーのクランプと支持リングとの間で袖と手袋の層を（袖とクランプとの間にあるカバーの部分と共に）圧着する。最後に、袖２３を再度裏返して、手袋２２を露出させる。取り外し可能なクランプをクランプアセンブリーに使用する場合、手袋を袖から離脱するためには、または袖に付けた手袋を調節するためには、袖を裏返し、ここでも通常は工具を使用してクランプを緩めるだけでよい。
【００１０】
図３は、好ましいクランプアセンブリー３１を示す図である。この態様は、取り外し可能であるという利点を有する。それは、好ましくはホースクリップの１種であるクランプで構成されており；クランプは、バンド３２と、バンドに装備されており、バンドに係合しそれを位置決めするためにウォームスクリューが中に配置されているスクリューハウジング３３とを備える。バンドは、スクリューハウジングに装着されている第１の端部と、溝穴を有する第２の自由端とを有し；自由端は、周回し、スクリューハウジングに挿入され、それを貫通して、帯状（ｂａｎｄｅｄ）リングを形成し、ウォームスクリューのねじはバンドの溝穴に係合し、必要に応じてバンドを位置決めする；即ち、バンドを緊締するまたは緩める。ウォームスクリューを回転させてバンドを緊緩するために、ウォームスクリューには、通常、溝付き及び／または六角頭３４が設けられる。
【００１１】
クランプは、管状の弾性カバー３５に被包され、弾性カバーは、ウォームスクリューでバンドを操作するための開口部を有する。図３に示す管状の弾性カバー３５は、Ｄ形の断面を有することができ、これは、図４Ａの断面３８で示すように、カバーの内面がバンドの幅と適合するサイズの平面３６を有することを意味する。管状の弾性カバーは、正方形または長方形、円形、楕円形、またはＤ形のような不規則な形状を含む、多くの異なる形状を有することができる。最も好ましいＤ形の断面に加えて、他の好ましい断面としては、図４Ｂに示す円形の断面３９、及び図４Ｃに示す楕円形の断面４０が挙げられる。
【００１２】
幾つかの実施形態では、弾性カバーは、エラストマー材料の連続的な中空環状体の形態であり、クランプを操作する工具を挿入するための小さいスリットをクランプが必要とする場合、このようなものを更に有する。幾つかの実施形態では、弾性カバーは、２つの端部を有するエラストマーの中空管の形態であり、一端が他端に挿入されて中空の環状体を形成している。幾つかの実施形態では、弾性カバーは、合成もしくは天然ゴムまたは他のエラストマー材料から製造される。有用なゴム、エラストマー及び他の材料としては、ＡＳＴＭ  Ｓｔａｎｄａｒｄ  Ｄ１４１８−０６“Ｓｔａｎｄａｒｄ  Ｐｒａｃｔｉｃｅ  ｆｏｒ  Ｒｕｂｂｅｒ  ａｎｄ  Ｒｕｂｂｅｒ  Ｌａｔｉｃｅｓ”の次の名称を有するもの：ＥＰＤＭ（エチレン、プロピレン、及びジエンの三元共重合体で側鎖にジエンの残留不飽和部分を有するもの）；ＩＲ（合成イソプレン）；ＢＩＩＲ（ブロモ−イソブテン−イソプレン）；ＢＲ（ブタジエン）；ＣＩＩＲ（クロロ−イソブテン−イソプレン）；ＣＲ（クロロプレン）；ＣＳＭ（クロロ−スルホニル−ポリエチレン）；ＥＣＯ（エチレンオキサイド（オキシラン）及びクロロメチルオキシラン（エピクロロヒドリン共重合体））；ＥＰＭ（エチレンとプロピレンの共重合体）、ＦＫＭ（コモノマーとしてフッ化ビニリデンを使用し、ポリマー鎖に置換基としてフルオロ基、アルキル基、パーフルオロアルキル基またはパーフルオロアルコキシ基を有し、硬化部位モノマー（反応性ペンダント基を有する）を有するまたは有していないポリメチレンタイプのフッ素ゴム）；ＦＶＭＱ（ポリマー鎖にフッ素置換基、ビニル置換基、及びメチル置換基を有するシリコーンゴム）；ＨＮＢＲ（水素化アクリロニトリル−ブタジエン）；ＩＩＲ（イソブテン−イソプレン）、ＶＭＱ（ポリマー鎖にメチル置換基とビニル置換基の両方を有するシリコーンゴム）；ＮＢＲ（アクリロニトリル−ブタジエン）；ＰＵ（ポリウレタン）、ＳＢＲ（スチレン−ブタジエン）；ＳＥＢＳ（ポリ［スチレン−（ブロック）−エテン−ｃｏ−ブタン−（ブロック）−スチレン］）、ＳＩＲ（スチレン−イソプレンゴム）；ＸＮＢＲ（カルボン酸−アクリロニトリル−ブタジエン）が挙げられる。他の有用な材料は、ネオプレンゴム、ブチルゴム、樹液ゴム（ｔｒｅｅ  ｒｕｂｂｅｒ）、及びゴム状物質（ｇｕｍ  ｒｕｂｂｅｒ）の一般名を有する。他の有用な材料は、Ｖｉｔｏｎ（登録商標）、Ｂｕｎａ  Ｓ（登録商標）、Ｈｙｐａｌｏｎ（登録商標）、Ｓｉｌａｓｔｉｃ（登録商標）、Ｋａｌｒｅｚ（登録商標）、Ｃｈｅｍｒａｚ（登録商標）、Ｔｅｃｈｎｏｆｌｏｎ（登録商標）、及びその他の商標で知られている。幾つかの実施形態では、弾性カバーは、封止される衣服に使用される布帛の貯蔵寿命に少なくとも等しく、好ましくはそれを超える有用な貯蔵寿命を有し、それは、通常、現在のＡＳＴＭ規格に基づいて少なくとも１０年である。
【００１３】
幾つかの実施形態では、弾性カバーの厚みは、クランプのバンドと袖との間で圧着される部分が好ましくは少なくとも０．０４インチ（０．１０ｃｍ）である。幾つかの実施形態では、弾性カバーの厚みは、バンド上、ウォームスクリュー、及びウォームスクリューハウジングを被覆する部分が好ましくは少なくとも０．０６インチ（０．１５ｃｍ）である。弾性カバーの実際の厚み及び硬さ（デュロメータ）は、クランプとの摩擦によりカバーが摩耗し穴が開くことを防止するのに十分な耐久性をカバーが有するように選択される。幾つかの好ましい実施形態では、カバーまたはクランプの何れかを個々に交換できるように、弾性管状カバーはクランプと別々になっている。
【００１４】
クランプは、弾性カバーと少なくとも２つの衣料品とを支持体に一緒に圧着するように緊締することができる円形のバンドを備える。幾つかの好ましい実施形態では、円形のバンドを緊緩することができる。１つの好ましい態様は、ホースクリップまたはホースクランプと称され、前述のようなウォームスクリューとスクリューハウジングとを有する。このタイプのクランプでは、バンド、ウォームスクリュー、及びスクリューハウジングは、通常、耐久性のある金属で製造されるが；考えられるところでは他の材質を使用することもできる。他のタイプの帯状クランプを使用することもでき、それらは、容易に取り外し可能な機能が必要でない場合、容易に取り外し可能である必要はない。例えば、円形の帯状クランプは、ケーブルタイ（ｃａｂｌｅ  ｔｉｅ）として知られ、ジップタイ（ｚｉｐ  ｔｉｅ）及びタイラップ（ｔｉｅ−ｗｒａｐ）としても知られるファスナータイプの形態であってもよい。このようなファスナーは、円形のバンドを形成する、一体のラック歯車を有する頑丈なナイロンテープを備えることができ、ファスナーは１つの尖端部と、小さい開放ケース内にラチェットの１種を有する１つの端部とを更に有する。ケーブルタイの尖った先端部を引っ張ってケースの中を通し、ラチェットを通過させて、円形のバンドを形成すると、それは引き戻しが防止され；形成されたループは引き締められることしかできない。このようなバンドは、通常、切断して取り外さなければならず、弾性カバーの開口部を使用してこれを達成することができる。
【００１５】
他のタイプの帯状クランプとしては、例えば、加締めることにより緊締できるもの；スナッパータイプのクランプ；ホースクリップ及びクイックリリースバンドを有する他のクランプ；「ｈｅｒｂｉｅ」または「ＨＣＬ」クリップ；並びに、バンドとして１本以上のワイヤを使用するものを含む、様々な緊締機構とバンドとを備える、ｔｈｅ  Ｓｏｃｉｅｔｙ  ｏｆ  Ａｕｔｏｍｏｔｉｖｅ  Ｅｎｇｉｎｅｅｒｓ  Ｓｔａｎｄａｒｄ  Ｊ５３６ｂによりＡ、Ｂ、Ｃ、Ｄ、Ｅ、及びＦと称されるタイプのホースクランプが挙げられる。
【００１６】
クランプは管状の弾性カバーの中空体内に位置決めされ、その全側面がそのカバーにより被包される。「被包」とは、バンドを操作する工具を挿入するために必要に応じて設けられるカバーの開口部以外、円形のバンドを備えるクランプが弾性カバーにより効果的に密閉または封入されることを意味する。好ましい実施形態では、円形のバンドを備えるクランプは、スクリューハウジングとウォームスクリューとを有するホースクリップであり、これらは全てカバーの中空体内に位置決めされ、ウォームスクリューを操作する工具を挿入するための開口部を有するそのカバーにより全側面が被包されている。
【００１７】
カバーの開口部の存在及びサイズは、クランプの全側面を被包し、クランプの鋭利な縁部が袖または手袋を摩耗させることを防止するカバーの能力を損なわないようにする。図３に示すように、この開口部は、弾性カバーに切り込まれた溝穴３７であってもよい。この溝穴を通して、適切なサイズのメトリックまたはＳＡＥナットドライバーなどの工具をカバーの下に挿入し、ウォームスクリューの六角頭に機械的に係合させて、スクリューを緊締するまたは緩めることができる。あるいは、他のタイプのスクリュードライバーを使用することもできるが、工具で弾性カバーまたは更には防護服布帛に穴を開けないように注意しなければならない。
【００１８】
幾つかの実施形態では、管状の弾性カバーは、スリットによって形成される開口部以外は連続的な中空管であり；他の幾つかの実施形態では、管状の弾性カバーは、第１の端部と第２の端部とを有する管であり、カバーの開口部は、図５に示すように、管の第１の端部を第２の端部に挿入することにより形成される。この実施形態では、管状の弾性カバーは、反対側にある２つの端部を有する可撓管の形態である。弾性カバーの一端４１を弾性カバーの他端４２に、一端を他端の中に維持するのに十分な距離だけ挿入する。２つの端部の直径は同じであるため、挿入される端部４１の表面を僅かに曲げてまたは加締めて、開口部４３を形成し、それにより工具を挿入して、例えば、ウォームスクリューを操作することができる。この場合、バンドの一端をクランプから管状カバーの中空体に挿入し、バンドをカバーに挿通した後、バンドを再装着して円形のクランプを形成することにより、弾性カバーの中空体内にクランプを取り付けることができる。クランプがホースクリップである場合、同様に、バンドの自由端をスクリューハウジングから係脱し、バンドとスクリューハウジングの両方を管状カバーの中空体に挿入し、挿通した後、再装着して円形のクランプを形成し；次いで、管状カバーの一端を管状カバーの他端に挿入して、完成したクランプアセンブリーを形成する。
【００１９】
弾性カバーに溝穴が設けられる場合、代わりに溝穴を使用してクランプアセンブリーを組み立てることができる。例えば、自由端が後退しスクリューハウジングから完全に出て、帯状リングに開口部が形成されるまでバンドを緩めることにより、バンドと、ウォームスクリューを収容するスクリューハウジングとを備えるクランプを弾性カバーの溝穴に挿通することができる。次いで、バンドの自由端とスクリューハウジングを弾性カバーの溝穴に挿入し、環状空間を周回させることができる。次いで、自由端を元のようにスクリューハウジングに挿入し、ウォームスクリューを緊締して、弾性カバー内部に帯状クランプを再形成する。工具の使用を必要とすることなく同様にケーブルタイ様のクランプを取り付けることもできる。
【００２０】
図６は、図５に示すカバー配置を使用する好ましいクランプアセンブリー３１の１種を示す図である。図３のように図６は、好ましくはホースクリップの１種であるクランプで構成されており；クランプは、バンド３２と、バンドに装備されており、バンドに係合しそれを位置決めするためにウォームスクリューが中に配置されているスクリューハウジング３３とを備える。バンドは、スクリューハウジングに装着されている第１の端部と、周回し、スクリューハウジングに挿入され、それを貫通して帯状リングを形成する溝穴のある第２の自由端とを有し、ウォームスクリューのねじはバンドの溝穴に係合し、バンドを緊締するまたは緩めるように必要に応じてバンドを位置決めする。ウォームスクリューを回転させてバンドを緊緩するために、ウォームスクリューには、通常、溝付き六角頭３４が設けられる。
【００２１】
開口部の取る形態にかかわらず、開口部は好ましくは、工具でクランプを操作することができるように好都合に配置または位置決めされる。更に、バンドの自由端または任意の部分が開口部を通って延びないように確実に溝穴を位置決めするように注意する。好ましい実施形態では、開口部は、ホースクリップの場合、バンドの自由端とスクリューハウジングとの間に；または、ケーブルタイ様のバンドの場合、バンドの自由端とラチェットとの間に位置決めされる。
【００２２】
本発明はまた、クランプアセンブリーにより袖に装着される手袋を含む衣服にも関し、クランプアセンブリーは、円形のバンドを備えるクランプと、中空体を有する管状の弾性カバーとを含み、クランプは中空体内に位置決めされ、その全側面が弾性カバーにより被包される。幾つかの実施形態では、衣服は、取り外し可能なクランプアセンブリーにより袖に装着される手袋を含む防護服であり、クランプアセンブリーは、バンドを備えるクランプと、バンドに装備されたスクリューハウジングと、バンドに係合しそれを位置決めするためにスクリューハウジング内に配置されたウォームスクリューとを含み、クランプは管状の弾性カバーに被包され、弾性カバーはウォームスクリューを操作するための開口部を有する。
【００２３】
幾つかの好ましい実施形態では、袖は、レベルＡ、Ｂ、ＣまたはＤの防護服の一部である。レベルＡの衣服は、最高レベルの皮膚、呼吸器、及び目の保護を必要とする状況で使用され、一般に、全身被覆型の蒸気防護服である。レベルＢの衣服は、最高レベルの呼吸器保護を必要とするが、皮膚保護は比較的低レベルでもよい状況で使用される。レベルＣの衣服は、大気汚染物質、液体飛沫、及び他の直接接触が悪影響を及ぼさないまたは露出した皮膚により吸収されない状況で使用される。レベルＤの衣服は、汚染が単に面倒である状況で使用される。Ａ、Ｂ、Ｃ、またはＤレベルと評価された防護衣の組み合わせを一緒に使用し得る場合もある。
【００２４】
幾つかの実施形態では、袖は被覆型の耐薬品性スーツの一部であり、幾つかの実施形態では、それはカバーオールの一部または任意の種類のシャツもしくはコートもしくはパンツ（ズボン）もしくは組み合わせ衣服の一部である。有用な手袋としては、弾性カバーについて前述したゴム及びエラストマー材料などの材料、並びにポリビニルアルコール及びポリ塩化ビニルなどの材料で製造された耐薬品性手袋が挙げられる。必要に応じて、手袋は、専売の（ｐｒｏｐｒｉｅｔａｒｙ）防護服布帛、バリア布帛、積層体、及びフィルムの形態の耐薬品性ライナーを備えることができ；このライナーは、手袋及び袖と共にクランプアセンブリーで封止される。これらの衣服の袖を形成する生地（材料）は様々であってもよく、それには不織布及び織布並びにこれらの生地とフィルムとの積層体を挙げることができる。幾つかの好ましい実施形態では、袖及び衣服の生地はフィルムと不織布との多層積層体である。
【００２５】
図７は、図２において全体を２５で示すように取り付けられたクランプアセンブリーの１つの可能な断面図である。支持リング５０は、図示するように、ゴム手袋５２と化学防護ライナー５１の両方の内部に位置決めされる。防護服の袖５３の端部は、支持リングに隣接し、支持リングと略整列しており、幾らかの重なりを有する。クランプアセンブリー５４は、バンド５６と、バンドに装備された六角頭ウォームスクリュー５７を有するスクリューハウジングとを備えるクランプを含む。クランプは、Ｄ形の断面を有する管状の弾性カバー５５の中空体に被包され、カバーの真っ直ぐな側面が最内面を形成する。クランプアセンブリーは、袖５３の端部上に支持リング５０と一直線に並ぶように位置決めされる。クランプアセンブリーを取り付けて緊締した後、図２の最後の工程に図示するように、クランプアセンブリーを覆うように袖５３を裏返す。前述のクランプアセンブリーの他の特徴を全て、クランプアセンブリーを含む衣服に使用することができる。
【００２６】
本発明は、更に、第１の衣料品を第２の衣料品に装着する方法であって、各衣料品が少なくとも１つの生地層を含み、
ａ）支持体を提供する工程と、
ｂ）支持体の外面に第１の衣料品の１つの生地層と第２の衣料品の１つの生地層とを配置する工程と、
ｃ）クランプアセンブリーを使用して、支持体とクランプアセンブリーとの間に第１の生地層と第２の生地層とを一緒に挟持する工程と、
を含む方法に関し、
クランプアセンブリーは、円形のバンドを備えるクランプと、中空体を有する管状の弾性カバーとを備え、クランプは中空体内に位置決めされ、その全側面が弾性カバーにより被包される。
【００２７】
幾つかの実施形態では、本発明は、第１の衣料品を第２の衣料品に取り外し可能に封止する方法であって、各衣料品が少なくとも１つの生地層を含み、
ａ）支持体を提供する工程と、
ｂ）支持体の外面に、第１の衣料品の１つの生地層と第２の衣料品の１つの生地層とを配置する工程と、
ｃ）取り外し可能なクランプアセンブリーを使用して、支持体とクランプアセンブリーとの間に２つの生地層を挟持する工程であって、クランプアセンブリーが、バンドを備えるクランプと、バンドに装備されたスクリューハウジングと、バンドに係合しそれを位置決めするためにスクリューハウジング内に配置されたウォームスクリューとを含み、クランプが管状の弾性カバーに被包され、弾性カバーがウォームスクリューを操作するための開口部を有する工程と、
ｄ）ウォームスクリューを操作して、クランプを緊締し、支持体と取り外し可能なクランプアセンブリーとの間で２つの生地層を互いに圧着する工程と、
を含む方法に関する。
【００２８】
幾つかの好ましい実施形態では、上記に開示したように、第１または第２の衣料品が手袋であり、他方の衣料品が化学防護服の袖である。幾つかの実施形態では、例えば、ライナーなどの他の生地層を第１及び第２の生地と組み合わせて、締め付けることができる。
【００２９】
支持リングなどの本方法に使用される様々な品目、様々な生地層、及びクランプアセンブリーは、上記で開示したものと同じである。幾つかの好ましい実施形態では、管状の弾性カバーは、Ｄ形の断面を有する。幾つかの好ましい実施形態では、管状の弾性カバーは、挿入された工具でウォームスクリューを操作できるように位置決めされたスリットを有する。幾つかの実施形態では、管状の弾性カバーは、スリット以外は連続的な管であるが、他の幾つかの実施形態では、管状の弾性カバーは、第１の端部と第２の端部とを有する管であり、カバーの開口部は、管の第１の端部を第２の端部に挿入することにより形成される。
【実施例】
【００３０】
実施例１
これは、第１の衣料品の生地層を第２の衣料品の生地層に取り外し可能に封止する方法の一例である。手袋ライナーをネオプレン手袋に挿入する。次いで、直径４”のＰＶＣの長さ約１インチのリングを双対の手袋の手袋ライナーの内部に挿入し、手袋アセンブリーを形成する。リングを手袋アセンブリーの手首覆いの中の親指部の付け根から約３”のところまで滑り込ませる。次いで、手袋のライナーの内部に手を入れて、指サック全部に入るまで完全に延ばす。手に手袋アセンブリーを着用したまま、握り拳を作り、確実にライナーとネオプレン手袋が適合するように手袋アセンブリーを調節し、ライナーと手袋との間に閉じ込められた余分な空気を排除し、ＰＶＣリングを適切に位置決めする。次いで、ライナーが手袋内のその所定の位置から移動しないように注意して、手を抜く。完成した手袋アセンブリーは、ＰＶＣリングが位置決めされているところに膨隆を有する。
【００３１】
クランプアセンブリーは、次のように形成される。Ｄ形の断面と管の丸みのある面に切り込まれた溝穴とを有する連続的な管状ゴム管に、４”ホースクリップであるクランプを挿入する。自由端が後退しスクリューハウジングから完全に出て、帯状リングに開口部が形成されるまで、ホースクリップのバンドを緩めることにより、ホースクリップを挿入する。次いで、バンドの自由端とスクリューハウジングを連続的な管状ゴム管の溝穴に挿入し、自由端が戻ってスクリューハウジングと接触するまで、環状の空間に挿通し、周回させる。次いで、自由端を元のようにスクリューハウジングに挿入し、ウォームスクリューを緊締して、弾性カバーの内部に帯状クランプを再形成する。挿入された工具でウォームスクリューを緊締できるように、管の溝穴を位置決めする。
【００３２】
次いで、手袋アセンブリーと袖をクランプアセンブリーで次のように装着する：防護服の袖を完全に裏返す。次いで、ＰＶＣリングにより形成された手袋アセンブリーの膨隆が袖の端部に完全に挿入され、袖の端部と揃うまで、手袋アセンブリーの指端部を裏返された袖の端部に挿入する。次いで、クランプアセンブリーを、袖端部上を滑らせ、必要に応じて直径が大きくなるようにクランプアセンブリーを調節して、組み合わせた袖と手袋の上に嵌める。手袋アセンブリー内のＰＶＣリングと一直線に並ぶようにクランプアセンブリーを位置決めし、袖と手袋アセンブリーの層をクランプアセンブリーとＰＶＣリングとの間に位置決めする。次いで、連続的なゴム管のスリットを通してナットドライバーをクランプアセンブリーに挿入し、ホースクリップを緊締して袖を手袋アセンブリーに封止する。次いで、袖を再度裏返し、手袋の指部を露出させる。次いで、衣服の他方の袖も同様に手袋アセンブリーに封止する。
【００３３】
クランプアセンブリーは、ダクトテープまたはゴムバンドを使用することなく、手袋と袖との間に取り外し可能な漏れ止めシールを提供する。
【００３４】
実施例２
反対側にある２つの端部を有するゴム管から形成された代替のクランプアセンブリーで、実施例１を繰り返す。バンドの自由端をスクリューハウジングから係脱し、バンドとスクリューハウジングをゴム管に挿入し、挿通した後、バンドをスクリューハウジングに再装着することにより、ホースクリップを取り付ける。次いで、ゴム管の一端をゴム管の他端に挿入し、楔入する。次いで、工具を挿入してウォーム歯車を操作することができるように一端の他端への挿入点が位置決めされるまで、ゴム管被覆全体を摺動させる。
【図１】
2014517162.tif 000003
【図２】
2014517162.tif 000004
【図３】
2014517162.tif 000005
【図４Ａ】
2014517162.tif 000006
【図４Ｂ】
2014517162.tif 000007
【図４Ｃ】
2014517162.tif 000008
【図５】
2014517162.tif 000009
【図６】
2014517162.tif 000010
【図７】
2014517162.tif 000011
【国際調査報告】
2014517162.tif 000012
2014517162.tif 000013
2014517162.tif 000014